(57)【要約】      （修正有）【課題】セルラ電話システムにおいて、放送サービスを与え、放送サービスと、セルラ電話システムによって与えられるサービスとを完全に統合するシグナリングを与える方法およびシステムを提供する。【解決手段】シグナリング方法は、アクセスネットワークと加入者局との対話を調整して、加入者局が、放送サービスを復号すること、放送サービスを受信する一方で、ページングメッセージを受信すること、動作状態間を適切に遷移すること、および当業者には分かる他の機能を可能にする。【選択図】図２
2010213316.tif 000002
【特許請求の範囲】
【請求項１】
通信システムのための方法であって、
ＢＣＭＣＳが、セクタにおいて使用可能でないこと、
ＢＣＭＣＳは、前記セクタにおいて使用可能であり、ＭＳが前記セクタにおいて使用可能なＢＣＭＣＳ ＦＬＯＷ ＩＤに関する情報を判断する周波数およびページングチャネルを示すこと、
前記セクタにおいて使用可能なＢＣＭＣＳ ＦＬＯＷ ＩＤのリストを与え、特定のＢＣＭＣＳ ＦＬＯＷ ＩＤに関する情報が得られる周波数およびページングチャネルを示すこと、および、
前記セクタにおいて使用可能なＢＣＭＣＳ ＦＬＯＷ ＩＤのリストを与え、移動局が特定のＢＣＭＣＳ ＦＬＯＷ ＩＤを監視する情報を与えることの中の少なくとも１つを示すことによって、各ページングチャネル上の各周波数上で、セクタにおけるＢＣＭＣＳの使用可能性に関する情報を伝送することを含む方法。
【発明の詳細な説明】
【技術分野】
【０００１】
米国特許法第１１９条のもとでの優先権の主張
本特許出願は、2003年9月11日に出願された仮出願第60/502,504号（“Method and System for Signaling in Broadcast Communication System”）に対して優先権を主張しており、この文献は、本出願の譲受け人に譲渡され、ここでは参考文献として取り上げている。
【０００２】
背景
本発明は、ワイヤーラインまたはワイヤレスの通信システムにおける放送（ブロードキャスト）通信に関し、放送通信は、ポイント ツウ マルチ ポイントとしても知られている。とくに、本発明は、このような放送通信システムにおけるシグナリングのためのシステムおよび方法に関する。
【背景技術】
【０００３】
通信システムは、発信局から、物理的に別個の宛先局への情報信号の伝送を可能にするために開発された。情報信号を発信局から通信チャネル上で伝送するとき、情報信号は、先ず、通信チャネル上で効率的に伝送するのに適した形へ変換される。情報信号の変換、すなわち、変調は、結果の被変調搬送波のスペクトラムが、通信チャネルのバンド幅内に制限されるように、情報信号にしたがって搬送波のパラメータを変更することを含む。宛先局において、通信チャネル上で受信した被変調搬送波から、元の情報信号を再現する。このような再現は、一般に、発信局が用いる変調処理の逆を使用することによって達成さ
れる。
【０００４】
変調は、多元接続、すなわち、共通の通信チャネル上でのいくつかの信号の同時送信または受信、あるいはこの両者も容易にする。多元接続通信システムは、多くの場合に、複数の加入者装置が、共通の通信チャネルへ連続的にアクセスするのではなく、比較的に短い継続期間の断続的サービスを要求することを含む。この分野では、、時分割多元接続（time division multiple access, TDMA）、周波数分割多元接続（frequency division multiple access, FDMA）、振幅変調多元接続（amplitude modulation multiple-access, AM）のような、いくつかの多元接続技術が知られている。別のタイプの多元接続技術には、“TIA/EIA/IS-95 Mobile Station-Base Station Compatibility Standard for Dual-Mode Wide-Band Spread Cellular System”（以下では、これをＩＳ−９５標準と呼ぶ）にしたがう符号分割多元接続（code division multiple access, CDMA）スペクトラム拡散システムがある。多元接続通信システムにおけるＣＤＭＡ技術の使用は、米国特許第4,901,307号（“SPREAD SPECTRUM MULTIPLE-ACCESS COMMUNICATION SYSTEM USING SATELLITE OR TERRESTRIAL REPEATERS”）および米国特許第5,103,459号（“SYSTEM AND METHOD FOR
GENERATING WAVEFORMS IN A CDMA CELLULAR TELEPHONE SYSTEM”）に開示されており、両文献は、本発明の譲受け人に譲渡されている。
【０００５】
多元接続通信システムは、ワイヤレスであっても、ワイヤーラインであってもよく、音声またはデータ、あるいはこの両者を搬送する。音声およびデータの両者を搬送する通信システムには、例えば、通信チャネルでの音声およびデータの伝送を特定するＩＳ−９５標準にしたがうシステムがある。固定サイズの符号チャネルフレームでデータを伝送する方法は、米国特許第5,504,773号（“METHOD AND APPARATUS FOR THE FORMATTING OF DATA FOR TRANSMISSION”）に詳しく記載されており、この文献は、本発明の譲受け人に譲渡されている。ＩＳ−９５標準にしたがうと、データまたは音声は、２０ミリ秒幅で、１４
．４キロビット秒のデータレートの符号チャネルフレームに分割される。音声およびデータの両者を搬送する通信システムの追加の例は、第三世代パートナーシッププロジェクト（3rd Generation Partnership Project, 3GPP）にしたがう通信システムを含み、このような通信システムは、文献番号第3G TS 25.211号、第3G TS 25.212号、第3G TS 25.213号、および第3G TS 25.214号を含む一組の文献（W-CDMA標準）か、または“TR-45.5.Physical Layer Standard for cdma2000 Spread Spectrum Systems”(IS-2000標準)に具体化されている。
【０００６】
多元接続無線通信システムでは、ユーザ間の通信は、１つ以上の基地局を介して行われる。１つの無線加入者局上の第１のユーザは、逆方向リンク上で基地局へデータを伝送することによって、第２の無線加入者局上の第２のユーザと通信する。基地局は、データを受信し、データを別の基地局へルート設定する。データは、同じ基地局、または別の基地局から順方向リンク上で第２の加入者局へ伝送される。順方向リンクは、基地局から無線加入者局への伝送を指し、逆方向リンクは、無線加入者局から基地局への伝送を指す。同様に、通信は、無線加入者局上の第１のユーザと、陸線局上の第２のユーザとの間で行う
ことができる。基地局は、逆方向リンク上で、無線加入者局上の第１のユーザからデータを受信し、そのデータを、公衆交換電話ネットワーク（public switched telephone network, PSTN）を経由して、陸線局上の第２のユーザへルート設定する。多くの通信システム、例えば、ＩＳ−９５、Ｗ−ＣＤＭＡ、ＩＳ−２０００では、順方向リンクおよび逆方向リンクは、異なる周波数を割り当てられる。
【０００７】
上述の無線通信サービスは、ポイント ツウ ポイントの通信サービスの例である。対照的に、放送サービスは、中央局対マルチポイントの通信サービスを与える。放送システムの基本モデルは、例えば、ニュース、映画、スポーツの試合、等の、ある特定の内容をもつ情報をユーザへ伝送する１つ以上の中央局が、放送ネットワークのユーザにサービスすることから成る。各放送ネットワークのユーザの加入者局は、共通の放送の順方向リンク信号を監視する。中央局は内容を固定的に決定するので、ユーザは通常は返信しない。放送サービスの通信システムが一般的に使用されるのは、例えば、ＴＶ放送、ラジオ放送、等である。このような通信システムは、一般に、非常に限定された目的のために作られた通信システムである。無線セルラ電話システムにおける最近の発展において、主にポイント ツウ ポイントのセルラ電話システムの既存のインフラストラクチャを放送サービスに使用することに関心がもたれてきた。（ここで使用されているように、“セルラ”システムという用語は、セルラおよびＰＣＳ周波数の両者を使用する通信システムを含む）。
【０００８】
共通の放送の順方向リンクをセルラ電話システムへ導入するには、放送サービスと、セルラ電話システムによって与えられるサービスとの統合が必要である。加入者局は、放送モードと通信モードとの両者において加入者局が機能するのを可能にする機能を支援できることが必要である。したがって、セルラ電話システムにおいて、放送サービスを与え、加入者局が両者のサービスを達成できるようにするシグナリングのための方法およびシステムが、この分野において必要とされている。
【発明の概要】
【０００９】
ここで開示される実施形態は、加入者局が放送システムに登録する方法であって、第１の周波数を変調するＨＳＢＳチャネルを受信することと、ＨＳＢＳチャネルのタイマの状態を監視することと、タイマの状態が切れると、ＨＳＢＳチャネルを伝送するセクタに放送サービスの登録を行ない、ＨＳＢＳチャネルのタイマの状態をイネーブルに設定することと、ＨＳＢＳチャネルのタイマを始動することとを含む方法を与えることによって上述の必要に対処している。基地局は、セクタにおいて加入者局から放送サービス登録を受信し、ページング識別子を加入者局のページングの組に加え、ページング識別子のタイマを始動する。
【００１０】
別の態様にしたがうと、基地局は、ページングの組の状態にしたがって、ページングメッセージを加入者局へ送る。
【００１１】
別の態様にしたがうと、放送通信システム内の加入者局を、加入者による登録を必要とすることなく、ページングする方法を与えることによって、上述の必要に対処する。
【図面の簡単な説明】
【００１２】
【図１】高速放送サービス通信システムの概念上のブロック図。
【図２】ＨＳＢＳの物理および論理チャネルの概念を示す図。
【図３】１つの実施形態にしたがうページングの組の保持を示す図。
【詳細な説明】
【００１３】
定義
ここでは、“例示的（exemplary）”という用語を使用して、“例（example）、事例（instance）、実例（illustration）として働く”ことを示す。ここに“例示的”に記載されている実施形態は、他の実施形態よりも好ましいまたは優れていると必ずしも解釈されない。
【００１４】
ここでは、ポイント ツウ ポイント通信という用語を使用して、専用通信チャネル上での２つの基地局間の通信を示す。
【００１５】
ここでは、グループサービス、ポイント ツウ マルチポイント通信、プッシュトーク、またはディスパッチサービスという用語を使用して、通常は１つの加入者局から、複数の加入者局が、受信する通信を示す。
【００１６】
ここでは、パケットという用語を使用して、特定のフォーマット内へ構成される、データ（ペイロード）および制御要素を含む１グループのビットを示す。制御要素は、例えば、プリアンブル、品質メトリック、および当業者に知られている他のものを含む。品質メトリックは、例えば、巡回冗長検査（cyclical redundancy check, CRC）、パリティビット、および当業者に知られている他のものを含む。
【００１７】
ここでは、アクセスネットワークという用語を使用して、基地局（base station ,BS）および１つ以上の基地局制御装置の集まりを指す。アクセスネットワークは、多数の加入者局間でデータパケットを移送する。アクセスネットワークは、企業内イントラネットまたはインターネットのような、アクセスネットワークの外の追加のネットワークへも接続され、各アクセス端末とこのような外部ネットワークとの間でデータパケットを移送する。
【００１８】
ここでは、基地局という用語を使用して、加入者局が通信するハードウエアを示す。セルは、この用語が使用される文脈に依存して、ハードウエアまたは地理的受信可能領域を指す。セクタは、セルの一部分である。セクタは、セルの属性をもつので、セルに関して記載された教示は、直ちにセクタに拡張される。
【００１９】
ここでは、加入者局という用語を使用して、アクセスネットワークが通信するハードウエアを示す。加入者局は、移動形であっても、静止形であってもよい。加入者局は、ワイヤレスチャネルを介して、あるいは、例えば光ファイバーまたは同軸ケーブルを使用するワイヤードチャネルを介して通信するデータ装置である。また、加入者局は、ＰＣカード、コンパクトフラッシュ（登録商標）、外部または内部モデム、あるいはワイヤレスまたはワイヤーライン電話を含むが、これらに制限されない多数のタイプの装置である。加入者局が基地局とアクティブなトラヒックチャネルの接続の設定処理中であることを、接続
設定状態中であると言う。基地局とアクティブなトラヒックチャネル接続を設定した加入者局は、アクティブな加入者局と呼ばれ、トラヒック状態中であると言う。
【００２０】
ここでは、物理チャネルという用語を使用して、変調特性および符号化に関して示す信号を伝搬する通信ルートを示す。
【００２１】
ここでは、論理チャネルという用語を使用して、基地局または加入者局の何れかのプロトコル層内の通信ルートを示す。
【００２２】
ここでは、通信チャネル／リンクという用語を使用して、文脈にしたがって、物理チャネルまたは論理チャネルを示す。
【００２３】
ここでは、逆方向チャネルリンクという用語を使用して、加入者局が基地局へ信号を送るのに通る通信チャネルを示す。
【００２４】
ここでは、順方向チャネル／リンクという用語を使用して、基地局が加入者局へ信号を送るのに通る通信チャネル／リンクを示す。
【００２５】
ここでは、ソフトハンドオフという用語を使用して、加入者と、各々が異なるセルに属する２つ以上のセクタとの間の通信を示す。逆方向リンク通信は、両者のセクタによって受信され、順方向リンク通信は、２つ以上のセクタの順方向リンク上で同時に搬送される。
【００２６】
ここでは、よりソフトなハンドオフという用語を使用して、加入者局と、各々が同じセルに属している２つ以上のセクタとの通信を示す。逆方向リンク通信は、両者のセクタによって受信され、順方向リンク通信は、２つ以上のセクタの順方向リンクの１つにおいて同時に搬送される。
【００２７】
ここでは、消去という用語を使用して、メッセージを認識するのに失敗したことを示す。
【００２８】
詳細な説明
既に記載したように、放送システムの基本モデルは、例えば、ニュース、映画、スポーツの試合、等の、ある特定の内容をもつ情報をユーザへ伝送する１つ以上の中央局が、放送ネットワークのユーザにサービスすることを含む。各放送ネットワークのユーザの加入者局は、共通の放送の順方向リンク信号を監視する。図１は、本発明の実施形態にしたがって、高速放送サービス（High Speed Broadcast Service, HSBS）を行うことができる通信システム100の概念上のブロック図を示す。
【００２９】
放送内容は、内容サーバ（content server, CS）102において生成される。内容サーバは、通信事業者のネットワーク（図示されていない）または外部のインターネット（IP）104内に位置していてもよい。内容は、パケットの形で、放送パケットデータ供給ノード（Broadcast packet data-serving node, BPDSN）106へ送られる。ＢＰＤＳＮは、通常のＰＤＳＮ（図示されていない）と物理的に一緒に位置していても、または同一であってもよいが、ＢＰＤＳＮは、通常のＰＤＳＮと論理上異なるので、ＢＰＤＳＮという用語を使用する。ＢＰＤＳＮ106は、パケットを、パケットの宛先にしたがってパケット制御機能（packet control function, PCF）108へ送る。ＰＣＦは、基地局（base station, BS）110の機能をＨＳＢＳ用に制御する制御エンティティであり、基地局制御装置（Base station controller, BSC）は、標準の音声およびデータサービス用である。ＨＳＢＳの高レベルの概念と物理的アクセスネットワークとの合成を示すために、図１には、ＰＣＦが基地局制御装置（BSC）と物理的に一緒に位置しているか、または、同一ですらあるように示されているが、論理上は、ＰＣＦはＢＳＣと異なる。当業者には、これが、単に教育のためであることが分かる。ＢＳＣ／ＰＣＦ108は、パケットを基地局110へ与える。
【００３０】
通信システム100は、高データレートが可能な順方向放送共用チャネル（forward broadcast shared channel, F-BSCH）112を取り入れ、多数の加入者局114がこれを受信できるようにすることによって、高速放送サービス（ＨＳＢＳ）を可能にしている。ここでは、順方向放送共用チャネルという用語を使用して、放送トラヒックを搬送する１本の順方向リンク物理チャネルを示す。１本のＦ−ＢＳＣＨは、１本以上のＨＳＢＳチャネルを、１本のＦ−ＢＳＣＨ内でＴＤＭ方式で多重化して、乗せることができる。ここでは、ＨＳＢＳチャネルという用語を使用して、その放送内容によって定められる１つの論理上のＨＳＢＳの放送セッションを示す。各セッションは、時間にしたがって変化する放送内容（例えば、午前７時のニュース−午前９時の天気−映画、等）によって定められる。図２は、ＨＳＢＳの物理および論理チャネルの検討される概念を示している。
【００３１】
図２に示されているように、ＨＳＢＳは、２本のＦ−ＢＳＣＨ202上に与えられており、各Ｆ−ＢＳＣＨ202は、別々の周波数fx、fy上で伝送される。ここで、例えば、上述のＩＳ−２０００の通信システムでは、このような物理チャネルは、例えば、順方向補助チャネル（forward supplemental channel, F-SCH）、順方向放送制御チャネル（forward broadcast control channel, F-BCCH）、順方向共通制御チャネル（forward common control channel, F-CCCH）、他の共通および専用のチャネル、並びにチャネルの組合せを含むことができる。情報の放送に共通および専用チャネルを使用することについては、2001年3月28日に出願された仮米国特許出願第60/279,970号（“METHOD AND APPARATUS FOR GROU
P CALLS USING DEDICATED AND COMMON CHANNELS IN WIRELESS NETWORKS”）に開示されており、この文献は、本発明の譲受け人に譲渡されている。当業者には、他の通信システムが同様の機能をもつチャネルを使用するので、この教示が他の通信システムに適用可能であることが分かる。Ｆ−ＢＳＣＨ202は、放送トラヒックを乗せ、放送トラヒックは1つ以上の放送セッションを含む。Ｆ−ＢＳＣＨ202bは、１本のＨＳＢＳチャネル204cを乗せ、１本のＦ−ＢＣＣＨ202a上へは、２本のＨＳＢＳチャネル204a、204bが多重化されている。ＨＳＢＳチャネルの内容は、ペイロード206およびヘッダ208を含むパケットへフォーマットされている。
【００３２】
当業者には、図２に示されているＨＳＢＳ放送サービスの展開が、単に教育のためであることが分かる。したがって、所与のセクタにおいて、特定の通信システムの実行によって支援される特徴にしたがって、いくつかのやり方で、ＨＳＢＳ放送サービスを展開することができる。実行の特徴は、例えば、支援されるＨＳＢＳのセッションの数、周波数割当ての数、支援される放送物理チャネルの数、および当業者に知られている他の実行の特徴を含む。したがって、例えば、１つのセクタにおいて、Ｆ−ＢＳＣＨを、３つ以上の周波数において展開してもよい。さらに加えて、３本以上のＨＳＢＳチャネルを、１本のＦ−ＢＳＣＨ上へ多重化してもよい。さらに加えて、１つのセクタ内において、１本のＨＳＢＳチャネルを、異なる周波数の３本以上の放送チャネル上へ多重化し、その周波数における加入者にサービスすることもできる。
【００３３】
１本以上の異なるＨＳＢＳチャネルが、同じＦ−ＢＳＣＨ物理チャネル上へ多重化されるので、異なるＨＳＢＳチャネルを互いに区別しなければならない。したがって、基地局は、個々のＨＳＢＳチャネルの各パケットに、放送サービス参照識別子（broadcast service reference identifier, BSR ID）を割り当てて、１本のＨＳＢＳチャネルを別のＨＳＢＳチャネルと区別する。加入者局のデマルチプレクサは、受信パケット内のＢＳＲ ＩＤの値に基づいて、監視しているＨＳＢＳチャネルにおいて、何れのパケットを復号器へ送るかを区別する。したがって、ＢＳＲ ＩＤは、空中（すなわち、加入者局とＢＳとの間）の意味をもつ。
【００３４】
既に記載したように、ＨＳＢＳチャネルは、ＨＳＢＳチャネルの放送内容によって定められる１つの論理上のＨＳＢＳの放送セッションを示す。したがって、加入者局は、ＢＳＲ ＩＤによってＨＳＢＳチャネルの物理的放送伝送を区別できるが、加入者局が、ＨＳＢＳチャネルの内容を、ＨＳＢＳチャネルの物理的放送伝送へマップするには、例えば、加入者局は、映画のＨＳＢＳをニュースのＨＳＢＳと区別しなければならず、各論理ＨＳＢＳチャネルの識別子が必要である。したがって、各ＨＳＢＳチャネルは固有の識別子（ＨＳＢＳ ＩＤ）をもち、ＨＳＢＳ ＩＤが、加入者局が加入したＨＳＢＳの内容／サービスと、対応する物理的放送伝送とをリンクする。したがって、ＨＳＢＳ ＩＤは、終端間（すなわち、加入者局と内容サーバとの間）の意味をもつ。ＨＳＢＳ ＩＤの値は、外部手段によって分かる。すなわち、加入者局のユーザは、放送内容／サービスに加入するとき、ＨＳＢＳチャネルに対応するＨＳＢＳ ＩＤを得る必要がある。例えば、特別なスポーツの試合において、ゲームの全スケジュールは、予め分かっていて、例えば、マスメディア、サービスプロバイダのキャンペーン、等において広告される。その代りに、ニュースは、定期的なスケジュールで放送される。その代りに、外部手段は、例えば、ｅメール、ショートメッセージシステム（short message system, SMS）の放送、および当業者に分かる他の手段を含む。１つの実施形態では、スケジュールをＨＳＢＳ放送セッション内で与える。
【００３５】
最後に、ＨＳＢＳチャネルは、Ｆ−ＢＳＣＨ物理チャネル上へ多重化されるので、ＨＳＢＳチャネルがＦ−ＢＳＣＨチャネルにどのように乗せられるかについて、種々の可能性があり、加入者局は、何れのＨＳＢＳチャネル（ＨＳＢＳ ＩＤ／ＢＳＲ ＩＤ）が、何れのＦ−ＢＳＣＨ（ＦＢＳＣＨ ＩＤ）上に乗せられるかを知る必要がある。このような情報は、論理対物理のマッピングによって特定される。記載されている実施形態において、論理対物理のマッピングは、組{ＨＳＢＳ ＩＤ，ＢＳＲ ＩＤ，ＦＢＳＣＨ ＩＤ}によって完全に特定される。
【００３６】
放送サービスパラメータのシグナリング
基地局が論理対物理のマッピングを行なうので、所与のＨＳＢＳチャネルを監視したい加入者局が、何れのＦ−ＢＳＣＨを監視すべきであるかを判断できるように、この論理対物理のマッピングの情報を空中を渡って加入者局へ知らせなければならず、したがって、放送物理チャネルパラメータ、放送論理チャネルパラメータ、および論理対物理のマッピングを、空中インターフェイスを渡って加入者局へ知らせる必要がある。
【００３７】
１つの実施形態では、通信システムによって与えられる、オーバーヘッドメッセージのためのチャネル上の、存在しているオーバーヘッドメッセージにおいて、放送サービスパラメータを送る。しかしながら、全加入者局がオーバーヘッドメッセージを監視しなければならないので、ＨＳＢＳに加入していないか、またはＨＳＢＳに対応していない加入者局であっても、このメッセージを受信し、かつメッセージの少なくともヘッダを復号しなければならない。１つの実施形態では、ヘッダは、例えば、メッセージの内容が変わったかどうかを加入者局へ知らせる連続番号のような情報を与える。オーバーヘッドパラメータに関係するメッセージ内容のみが変わっても、全加入者局は、メッセージの残りを復号しなければならない。
【００３８】
したがって、別の実施形態では、放送サービス別のオーバーヘッドメッセージ内で放送サービスパラメータを送る（ＢＳＰＭ）。ＨＳＢＳサービスに加入した／関心のある加入者局のみが、このメッセージを監視する必要がある。加入者局は、いつＨＳＢＳチャネルを監視し始めてもよいので、セクタの周波数の１つに、１本以上の放送チャネルを構成している各セクタは、放送サービスパラメータのメッセージを連続的に伝送する必要がある。１つの実施形態にしたがうと、放送サービスパラメータメッセージは、通信システムによって与えられる、オーバーヘッドメッセージのためのチャネル上で送られる。ＩＳ−２
０００標準にしたがう通信システムでは、通信システムによって与えられる、オーバーヘッドメッセージのための、このようなチャネルは、例えば、順方向ページングチャネル（forward paging channel, F-PCH）、順方向放送制御チャネル（forward broadcast control channel, F-BCCH）、および通信システムによって与えられる、オーバーヘッドメッセージのための、当業者には分かる他のチャネルを含むことができる。当業者には、他の通信システムが、同様の機能を行うチャネルを使用し、したがって、この教示を他の通信システムに適用できることが分かる。
【００３９】
しかしながら、加入者局は、通信システムによって与えられる、オーバーヘッドメッセージのためのチャネルを、アイドル状態のときのみ、監視することができる。したがって、加入者局は、Ｆ−ＢＳＣＨを監視しているとき、別の呼とつながっている間、すなわち、専用モードであるときは、放送パラメータメッセージにアクセスしない。したがって、１つの実施形態では、放送サービスパラメータは、１本以上の専用チャネル上の存在しているメッセージによって、専用モードの加入者局へ送られる。しかしながら、この実施形態では、通信システムによって与えられる、オーバーヘッドメッセージのためのチャネル
上でメッセージを１回送る代わりに、専用チャネルを使用しなければらないので、メッセージを各加入者局へ別々に送らなければならない。したがって、別の実施形態では、加入者局は、放送サービスパラメータメッセージにおいて受信したパラメータを使用し続けて、これらのパラメータが古くなったことを知らせる。
【００４０】
当業者には、放送サービスパラメータメッセージを使用して、追加の放送に関係する情報を送っても、よいことが分かる。例えば、放送サービスパラメータメッセージは、各物理チャネルごとに、同じ情報を送る近隣のリストも含むので、加入者局は、ハンドオフを行うことができる。ハンドオフ方法およびシステムは、2001年8月20日に出願された、現在審査中の米国特許出願第09/933,607号（“METHOD AND SYSTEM FOR A HANDOFF IN A BROADCAST COMMUNICATION SYSTEM”）に詳しく記載されている。さらに加えて、放送サービスパラメータメッセージは、別途記載する放送サービス登録に関係する情報を含んでもよい。さらに加えて、放送サービスパラメータメッセージは、ＨＳＢＳスケジュールシグナリングを含んでもよく、これについては別途詳しく記載する。
【００４１】
ＨＳＢＳのスケジュールのシグナリング
加入者局のユーザは、ＨＳＢＳセッションを監視するのに、ＨＳＢＳセッションの開始時間を知る必要がある。ユーザは、ＨＳＢＳセッションの継続期間および終了時間も知る必要がある。一般に、既に記載したように、ＨＳＢＳサービスに加入したユーザは、ＨＳＢＳの放送セッションのスケジュールを知るので、ＨＳＢＳのチャネル内容のスケジュールのシグナリングは、空中インターフェイス／通信システムの技術的範囲外である。しかしながら、ユーザは、外部手段に依存しない利便性を要求し、加入者局を使用して、ＨＳＢＳのスケジュールを検索できるようにしてもよい。
【００４２】
したがって、１つの実施形態では、基地局は、ＨＳＢＳセッションの開始について、ページングチャネル上でメッセージを送ることによって、加入者局に知らせる。これは、放送ページングメッセージまたは放送ショートメッセージシステム（ＳＭＳ）の形をとることができる。ページングチャネルを監視している全加入者局は、このメッセージを受信し、このメッセージを受取るように構成された加入者局のみが、加入者局のユーザに知らせる。加入者局のユーザが、ＨＳＢＳセッションを監視することを選択するとき、加入者局は、適切な周波数に同調して、Ｆ−ＢＳＣＨを監視する。しかしながら、加入者局は、Ｆ
−ＢＳＣＨを監視することがプログラムされているときは、ユーザに指示することなく、これを始めることができる。
【００４３】
加入者局のユーザは、セッション開始時間後に、ＨＳＢＳセッションを監視することを決めてもよいので、基地局が、セッションの開始前に、メッセージを加入者局へ１回だけ送るのでは、そのときにページングチャネルを監視していなかった加入者は、このメッセージを受信しないことになるので、不十分である。加入者局は、種々の理由、例えば、電源が切れている、フェード状態である、音声呼中である、および当業者には分かる他の理由のために、ページングチャネルを監視することができないことがある。したがって、ＨＳＢＳセッションの継続期間を通じて、メッセージを反復する必要がある。メッセージの
反復がより頻繁になると、所与の加入者局が実行中のセッションに参加する平均遅延がより短くなる。
【００４４】
別の実施形態では、基地局は、通信システムによって与えられる、オーバーヘッドメッセージのためのチャネル上で、放送サービスパラメータメッセージのようなメッセージを送ることによって、ＨＳＢＳセッションの開始について加入者に知らせる。伝達される情報、とくに開始時間、継続期間、または終了時間は、ページングチャネル上で送られるものと同じである。しかしながら、オーバーヘッドメッセージは反復されるので、情報は連続的に送られる。加入者局が（同じ内容の）同じメッセージを反復的に読み出すのを防ぐために、順序番号をオーバーヘッドメッセージに加える。加入者局は、同じ順序番号を含
むメッセージを無視する。このような順序番号の使用は、当業者には、よく知られている。この実施形態では、放送サービスパラメータメッセージを使用するとき、セッションが最初に始まるとき、およびそれが終了するときのような、その内容の一部が変化するときのみ、放送サービスパラメータメッセージの順序番号をインクリメントする。
【００４５】
ＨＳＢＳセッションの終了は、Ｆ−ＢＳＣＨ上で送られる特別の終了メッセージによって、Ｆ−ＢＳＣＨを現在監視している加入者に示される。したがって、多重サブレイヤが、何れのフレームが放送データに対応し、何れのフレームがシグナリングデータ（終了メッセージ）に対応するかを知ることが必要である。１つの実施形態では、ＢＳＲ ＩＤの値、例えば、ＢＳＲ ＩＤ＝０００は、パケットがシグナリングデータを乗せていることを示す。別の実施形態では、特別のメッセージは不要であり、基地局は、Ｆ−ＢＳＣＨ上でナルフレームを送る。さらに別の実施形態では、基地局は、Ｆ−ＢＳＣＨをオフにする。加入者局は、Ｆ−ＢＳＣＨ上でエネルギーが送られていないことを検出すると、ＨＳＢＳセッションが終了したと判断する。
【００４６】
また、セッションの開始について示している上述の各実施形態を、セッションの終了について示すものに使用してもよい。１つの実施形態では、セッションの開始を示すメッセージの内容は、セッションの継続期間または終了についての情報を含む。別の実施形態では、明示メッセージを送って、ＨＳＢＳセッションの終了を示すことができる。
【００４７】
別の呼中の加入者局は、同時に、Ｆ−ＢＳＣＨを監視したいので、ＨＳＢＳセッションの開始を、専用モード中の加入者局にも知らさなければならない。記載されている実施形態にしたがうシグナリング方法は、同様に適用可能である。
【００４８】
呼モデル
放送サービスの基本要件は、共通チャネルモードの、すなわち、別の呼につながっていない加入者局が、ＨＳＢＳサービスを監視できることである。同様に、加入者局は、放送サービスを受信する一方で、呼を受信／発信できるべきである。したがって、加入者局は、Ｆ−ＢＳＣＨを監視している一方で、ページの通知を受信し、呼の発信を送り、登録を行うことができる。
【００４９】
加入者局は、動作モードをイネーブルするために、Ｆ−ＢＳＣＨと、オーバーヘッド情報のために与えられたチャネルとを同時に監視できなければならない。このようなチャネルは、ＩＳ−２０００にしたがう通信システムでは、例えば、順方向共通制御チャネル（Ｆ−ＣＣＣＨ）および順方向ページングチャネル（Ｆ−ＰＣＨ）を含む。当業者には、ＩＳ−２０００の参照が、単に教育のためであり、他の通信標準が、同様の機能をもつチャネルを与えることが分かる。さらに加えて、加入者は、Ｆ−ＢＳＣＨと、オーバーヘッド情報のために与えられたチャネルを同時に監視できなければならない。このようなチャネルは、例えば、ＩＳ−２０００にしたがう通信システムでは、順方向共通制御チャネル（Ｆ−ＣＣＣＨ）、および順方向ページングチャネル（Ｆ−ＰＣＨ）を含み、順方向クイックページングチャネル（forward quick paging channel, F-QPCH）は含まれても、含まれていなくてもよい。さらに加えて、加入者局は、Ｆ−ＢＳＣＨを監視している一方で、ページに応答し、呼発信を行い、登録を行い、ＭＳに宛てられたメッセージに応答し、当業者に知られている他の機能を行なうことができなければならない。したがって、ＩＳ−２０００にしたがう通信システムは、例えば、逆方向アクセスチャネル（reverse access channel, R-ACH）、逆方向拡張アクセスチャネル（reverse enhanced access channel, R-
EACH）、および逆方向共通制御チャネル（reverse common control channel, R-CCCH）を使用する。上述のチャネルは、Ｆ−ＢＳＣＨによって変調される同じ周波数上で使用可能でなければならない。
【００５０】
上述で紹介した呼モデルを拡張し、加入者局が、ＨＳＢＳチャネルを聞くことと、別の呼（例えば、音声呼）に参加することとを同時に行うことができるようにすることができる。このために、加入者局の現在のモデルでは、多数の周波数を同時に監視できないので、Ｆ−ＢＳＣＨと、（音声呼、等に割り当てられる）専用トラヒックチャネルとは、同じ周波数でなければならない。加入者局は、共通チャネルモードまたは専用チャネルモードである一方で、ＨＳＢＳチャネルを監視することができる。さらに加えて、加入者局は、Ｆ−ＢＳＣＨと、他の呼またはシグナリングトラヒック、あるいはこの両者と関係付けられたトラヒックのチャネルとを同時に監視できなければならない。このようなチャネルは、ＩＳ−２０００にしたがう通信システムでは、例えば、順方向基礎チャネル（forward fundamental channel, F-FCH）および順方向専用制御チャネル（forward dedicated control channel, F-DCCH）を含む。したがって、加入者局は、Ｆ−ＢＳＣＨを監視している一方で、他の呼またはシグナリングトラヒック、あるいはこの両者と関係付けられているトラヒックのための１本以上のチャネル上で伝送できなければならない。このようなチャネルは、ＩＳ−２０００にしたがう通信システムでは、例えば、逆方向基礎チャネル（reverse fundamental channel, R-FCH）、逆方向専用制御チャネル（reverse dedicated control channel, R-DCCH）を含む。
【００５１】
加入者局は、ＨＳＢＳチャネルを監視している一方で、別の呼を発信したいときは、ＨＳＢＳチャネルの監視を止めるか、またはＨＳＢＳと別の呼とに同時に参加することが支援されているときは、発信を行う。
【００５２】
加入者局は、ＨＳＢＳチャネルを監視している一方で、ページを受信するとき、到来呼を受け取るのを拒否し、ＨＳＢＳチャネルを監視し続ける。１つの実施形態にしたがうと、加入者局は、加入者局が到来呼に関心がないことを示すメッセージ、すなわち、潜在的に、加入者局がそのサービスオプションに関心がないことを示すメッセージを、ページング基地局へ送る。別の実施形態にしたがうと、加入者局は、加入者局がこの到来呼に関心がないことを示すページ応答メッセージを、特別のサービスオプションと共に送る。その代りに、加入者局は、専用モードへ移行し、発呼者の識別を受信し、ＨＳＢＳチャネルを
監視し続ける一方で、またはＨＳＢＳの監視を一時的に中断する一方で、呼を受取るかどうかを決めてもよい。
【００５３】
別の実施形態にしたがうと、加入者局が、ＨＳＢＳチャネルを監視している一方で、ページを受信するとき、加入者局のチャネルは、到来呼を受取り、ＨＳＢＳチャネルを監視するのを止める。その代りに、ＨＳＢＳと別の呼とに同時に参加することが支援されているときは、ＨＳＢＳチャネルを監視し続ける一方で、到来呼を受取る。
【００５４】
１つの実施形態では、専用チャネルモードからＨＳＢＳチャネルを監視するのは、より多くのシステム資源を必要とするので、加入者局は、専用チャネルモードからＨＳＢＳチャネルを監視することができても、トラヒックチャネル上で通信せずに、共通チャネルモードでＨＳＢＳチャネルを監視する。したがって、加入者局は、ＨＳＢＳチャネルを同時に監視し、トラヒックチャネル上で通信し、通信が終了すると、専用チャネルを解放し、共通チャネルモードへ移行する。
【００５５】
周波数ハッシングおよびページング
基地局は、加入者局と通信する要求を受信すると、その加入者局のためのページングメッセージを生成する。次に、基地局は、加入者局が何れのページングチャネルを監視しているかを判断し、そのページングチャネル上でページングメッセージを伝送する。通信システムの基地局は、１つの周波数、または多数の周波数、あるいはこの両者で多数のページングチャネルを支援するので、基地局および加入者局の両者において、加入者局が監視しているのが何れの周波数およびページングチャネルであるかを判断する方法が開発された。ＩＳ−２０００標準に基づく方法を記載する。当業者は、ＩＳ−２０００標準の選択
が、教育上の目的であり、基地局と加入者局との取り決めを保証する方法を容易に置換できることが分かるであろう。
【００５６】
電力が入ると、加入者局は、システム判断のサブステートを入力し、捕捉の試みを行うシステムを選択する。１つの実施形態では、システムの判断のためのシステムを選択した後で、加入者局はパイロット捕捉のサブステートへ移行し、加入者局は、システム判断のサブステートにおいて検索された捕捉パラメータに基づいて、パイロット信号の復調を試みる。加入者局は、捕捉パラメータにしたがって、ＣＤＭＡ捕捉パイロット信号を捕捉する試みを行う。加入者局は、所定の閾値よりも高いエネルギーをもつパイロット信号を検出すると、Syncチャネル捕捉のサブステートへ移行し、Syncチャネルの捕捉を試みる。通
常、基地局によって放送されるSyncチャネルは、システム識別（system identification, SID）およびネットワーク識別（network identification, NID）のような基本システム情報を含むが、最も重要なこととして、タイミング情報を加入者局へ与える。加入者局は、Syncチャネル情報にしたがって加入者局のタイミングを調節し、次に、加入者局のアイドル状態へ入る。加入者局は、Syncチャネルメッセージにおいて識別されるオーバーヘッドチャネルを受信することによって、アイドル状態の処理を開始し、加入者局が捕捉した基地局が、多数の周波数を支援するとき、加入者局と基地局の両者は、ハッシュ機能を使用して、通信に使用する周波数を判断する。次に、加入者局および基地局は、ハッシュ機能を使用して、加入者局が監視しているページングチャネルを判断する。１つの実施形態では、ハッシング機能は、例えば、周波数、ページングチャネル、等、および国際加入者局識別子（international subscriber station identifier, IMSI）をハッシュする多数のエンティティを受取って、１つのエンティティを出力する。
【００５７】
上述の方法（以下では、現在のハッシング方法と呼ぶ）は、ポイント ツウ ポイント システムにおいて適切に働く。しかしながら、現在のハッシング方法は、図３を参照して示されているような、放送サービスに直接に適用できない。図３は、２本のＨＳＢＳチャネル302a、302bが、周波数ｆｘ上で伝送されるＦ−ＢＳＣＨチャネル304a上で多重化され、１本のＨＳＢＳチャネル302cが、周波数ｆｙ上で伝送されるＦ−ＢＳＣＨチャネル304b上で多重化されることを示している。周波数ｆｚ上には、ＨＳＢＳチャネルはない。ページングチャネル306a、306b、および306cは、各周波数ｆｘ、ｆｙ、およびｆｚ上で伝送される。図３には、各周波数ごとに、１本のみのページングチャネルが示されているが、加入者局の個々のページングチャネルにおけるマッピングは、ハッシング機能によって判断されるので、当業者には、これが単に教育のためであることが分かる。加入者局が、３本の全てのＨＳＢＳチャネル302に加入したとき、受信を一方のＨＳＢＳチャネルから別のＨＳＢＳチャネル302へ自由に変えることができる。ここでは、加入という用語を使用して、加入者局が、個々のＨＳＢＳチャネルの受信を許可されることを示す。
【００５８】
一般性を損うことなく、時間ｔ１において、加入者局に電力が入ると仮定する。例えば、上述のハッシング方法を使用して、加入者局は、周波数ｆｚに同調し、基地局に登録し、ページングチャネル306cの監視を開始する。基地局は、同じハッシング方法を行って、加入者局が、周波数ｆｚのページングチャネル306cを監視していると判断する。時間ｔ２において、加入者局は、ＨＳＢＳチャネル302aを監視することを決める。既に記載したように、ＨＳＢＳチャネルを受信したい加入者局は、そのＨＳＢＳチャネルによって変調されるＦ−ＢＳＣＨチャネルを含む周波数を監視しなければならない。したがって、加入者局は、周波数ｆｘに同調し、ＨＳＢＳチャネル302aを受信し始める。加入者局が１つのみの周波数に同調できるように、加入者局が制約されているために、加入者局は、周波数ｆｘ上のページングチャネル306aを監視する。加入者局は、ＨＳＢＳチャネルを受信する一方で、ページングメッセージを受信できることを要求されるので、加入者局へのページングメッセージは、周波数ｆｘのページングチャネル上で送らなければならない。しかしながら、現在のハッシング方法は、加入者局が周波数を変更するというシナリオについて明細を明らかにしていない。したがって、周波数ｆｚのページング周波数306c上で加入者局をハッシュした基地局は、加入者局の再同調に気付かない。したがって、基地局が周波数
ｆｚのページングチャネル306c上で送ったページメッセージは損われる。したがって、加入者局をページする周波数において基地局を評価する方法およびシステムが必要である。当業者には、周波数が判断されると、現在のページングチャネル判断方法を使用できることが分かる。
【００５９】
したがって、本発明の１つの実施形態にしたがうと、加入者局は、基地局に、加入者局が加入し、かつ監視することに関心のある各ＨＳＢＳチャネルの識別子を登録する。各ＨＳＢＳチャネルは、特定の周波数上の対応するＦ−ＢＳＣＨを変調するので、基地局には、加入者局を見付けることができる周波数の組が分かり、したがって、加入者局を適切にページすることができる。ＨＳＢＳチャネルの登録は、ハンドオフ中に使用される。ハンドオフの目的は、加入者局を、第１の基地局によって伝送されたＨＳＢＳチャネルから、第２の基地局によって伝送されたＨＳＢＳチャネルへ転送することである。しかしながら、ＨＳＢＳチャネルは、第１および第２の基地局において異なる周波数を変調するが、各基地局は、（論理対物理のマッピングによって）所与のＨＳＢＳ ＩＤが伝送される周波数を知っているので、ＨＳＢＳが、同じ固有の識別子ＨＳＢＳ ＩＤをもっていても、基地局は加入者を適切にページすることができる。したがって、各ＨＳＢＳチャネルの識別の登録は、ハンドオフを支援する。別の実施形態にしたがうと、加入者局は、加入者局が加入し、かつ監視することに関心のあるＨＳＢＳによって変調された周波数を、基地局に登録する。登録は、個々のＨＳＢＳチャネルごとに、タイマの状態にしたがって定期的に行われる。
【００６０】
このような登録を可能にするために、加入者局は、加入者局が加入し、かつ監視することに関心のある各ＨＳＢＳチャネルのタイマの状態を（ＨＳＢＳ ＴＩＭＥＲ ＳＴＡＴＵＳ）保持する。ＨＳＢＳチャネルは、固有の識別子（ＨＳＢＳ ＩＤ）によって識別される。各タイマのＨＳＢＳ ＴＩＭＥＲ ＳＴＡＴＵＳは、“イネーブル”（すなわち、タイマ実行中）か、または“時限切れ”（すなわち、タイマ停止中）の何れかである。加入者局は、加入者が監視することに関心のある各ＨＳＢＳチャネルのためのカウンタ、すなわち、放送サービス登録タイマ（ＴＨＳＢＳ）も保持する。カウンタは、所定の時間間
隔でインクリメントされる。カウンタが所定の値（ＨＳＢＳ ＲＥＧ ＴＩＭＥＲ）に到達すると、加入者局は、タイマが切れたことを示し、ＨＳＢＳ ＴＩＭＥＲ ＳＴＡＴＵＳを“時限切れ”に設定する。
【００６１】
電力が入ると、加入者局は、全チャネルについて、ＨＳＢＳ ＴＩＭＥＲ ＳＴＡＴＵＳを“時限切れ”に初期設定する。次に、加入者局は、現在のハッシング方法にしたがう周波数に同調し、周波数を伝送する基地局に登録する。加入者局が、ＨＳＢＳ ＩＤ＝ｉによって識別されるＨＳＢＳチャネルによって変調される周波数に同調するとき、ＨＳＢＳ ＴＩＭＥＲ ＳＴＡＴＵＳ〔ｉ〕が“時限切れ”に設定されている場合は、加入者局は、ＨＳＢＳチャネルのために基地局に放送サービス登録を行い、ＨＳＢＳ ＴＩＭＥＲ ＳＴＡＴＵＳ〔ｉ〕を“イネーブル”に設定し、カウンタＴＨＳＢＳ〔Ｉ〕を始動する。加入者局がＨＳＢＳチャネルｉを依然として監視している一方で、カウンタＴＨＳＢＳ〔Ｉ〕の時限が切れると、加入者局は、再び、ＨＳＢＳチャネルｉについて基地局に放送サービス登録を行い、ＨＳＢＳ ＴＩＭＥＲ ＳＴＡＴＵＳ〔ｉ〕を“イネーブル”に設定し、カウンタＴＨＳＢＳ〔Ｉ〕を始動する。加入者局が、（最初の電力投入登録手続きの結果として、またはＨＳＢＳチャネルｉの監視の結果として）個々の周波数に同調し、同じ周波数上のＨＳＢＳチャネルｊを監視したいとき、ＨＳＢＳ ＴＩＭＥＲ ＳＴＡＴＵＳ〔ｊ〕が“時限切れ”に設定されている場合は、加入者局はＨＳＢＳチャネルｊについて基地局に放送サービス登録を行い、ＨＳＢＳ ＴＩＭＥＲ ＳＴＡＴＵＳ〔ｊ〕を“イネーブル”に設定し、カウンタＴＨＳＢＳ〔ｊ〕を始動する。
【００６２】
各基地局は、各加入者局ごとに、ページングの組（ＰＡＧＥ ＳＥＴ）を保持する。ｉ番目の加入者局から電力投入登録を受信すると、加入者局のＰＡＧＥ ＳＥＴｊは、現在のハッシング方法にしたがって、加入者局が同調した周波数、すなわち、ＰＡＧＥ ＳＥＴｊ＝｛ｆｐｏｗｅｒ−ｕｐ｝を含むように初期設定される。基地局は、ＨＳＢＳ ＩＤ＝ｉによって識別されるＨＳＢＳチャネルの放送サービス登録を加入者局から受信すると、そのＨＳＢＳチャネルの識別子(ＨＳＢＳ ＩＤ)をページングの組ＰＡＧＥ ＳＥＴｊ＝{ｆｐｏｗｅｒ−ｕｐ}へ加え、カウンタＴＨＳＢＳ〔Ｉ〕を始動する。加入者局のためのＨＳＢＳチャネルｉに対応するカウンタＴＨＳＢＳ〔Ｉ〕の時限が切れると、基地局は、ページングの組からＨＳＢＳ ＩＤ＝ｉを取り除く。加入者局への到来呼があるときは、基地局は、論理対物理のマッピングを使用して、ページングの組内の識別子をもつ全ＨＳＢＳチャネルに対応する周波数を判断する。次に、基地局は、ページングメッセージを、これらの全周波数上の加入者局へ送る。したがって、加入者局のタイマと基地局のタイマとを同期させなければならないか、または加入者局のタイマが切れた後で、基地局のタイマが切れなければならない。加入者局のタイマが切れる前に、基地局のタイマが切れる
と、基地局は、ＨＳＢＳ ＩＤ＝ｉを、加入者局がまだＨＳＢＳチャネルであるときに、ページングの組から取り除いてしまう。
【００６３】
既に記載したように、カウンタＴＨＳＢＳ〔Ｉ〕が、値ＨＳＢＳ ＲＥＧ ＴＩＭＥＲによって判断される値、すなわち、基地局によって加入者局へ伝送される構成可能なパラメータに達すると、定期的に登録が行われる。値ＨＳＢＳ ＲＥＧ ＴＩＭＥＲは、加入者局の放送サービス登録の結果のシグナリングロードと、加入者局をページする必要のある周波数が不確かである結果のシグナリングロードとの間の最適条件であると判断される。シグナリングロードを低減するために、放送サービス登録は、別のタイプの登録（例えば、時間に基づく登録、距離に基づく登録、領域に基づく登録、および当業者には分かる他の登録タイプ）と組み合わされる。例えば、時間に基づく登録では、基地局は、所定の時間間隔で登録するように加入者局を構成する。加入者局が放送サービス登録を行うとき、基地局は、加入者局の場所について、放送サービス登録から判断するので、加入者局は、その期間中は時間に基づく登録を行う必要はない。
【００６４】
再び図３を参照すると、本発明の上述の実施形態にしたがって加入者局と基地局とによって行われる方法が示されている。時間ｔ１において、加入者局の電源が入り、現在の手続きを使用して、周波数ｆｚに同調し、全ＨＳＢＳチャネルについてＨＳＢＳ ＴＩＭＥＲ ＳＴＡＴＵＳを“時限切れ”に設定し、登録する。基地局は、加入者局のページの組を周波数ｆｚに初期設定する。（ＰＡＧＥ ＳＥＴｉ＝{ｆｚ}）。（下付き文字ｉは、加入者局を識別する）。
【００６５】
時間ｔ２において、加入者局は、ＨＳＢＳチャネル302aを監視することを望んでいる。（ＨＳＢＳ ＩＤ＝１）。加入者局は、周波数ｆｘに同調し、ＨＳＢＳチャネル302aの放送サービス登録を送り、ＨＳＢＳ ＴＩＭＥＲ ＳＴＡＴＵＳ〔１〕を“イネーブル”に設定し、カウンタＴＨＳＢＳ〔１〕を始動する。基地局は、ＰＡＧＥ ＳＥＴｉ＝｛１，ｆｚ｝に設定する。
【００６６】
時間ｔ３において、加入者局は、ＨＳＢＳチャネル302aを監視することには最早関心がないが、ＨＳＢＳチャネル302bを監視することを望んでいる。加入者局は、ＨＳＢＳチャネル302bの放送サービス登録を送り、ＨＳＢＳ ＴＩＭＥＲ ＳＴＡＴＵＳ〔２〕を“イネーブル”に設定し、カウンタＴＨＳＢＳ〔２〕を始動する。基地局は、ＰＡＧＥ ＳＥＴｉ＝｛２，１，ｆｚ｝に設定する。
【００６７】
時間ｔ４において、加入者局は、ＨＳＢＳチャネル302bを監視することには、最早関心がないが、ＨＳＢＳチャネル302cを監視することを望んでいる。加入者局は、周波数ｆｙに同調し、ＨＳＢＳチャネル302cの放送サービス登録を送り、ＨＳＢＳ ＴＩＭＥＲ ＳＴＡＴＵＳ〔３〕を“イネーブル”に設定し、カウンタＴＨＳＢＳ〔３〕を始動する。基地局は、ＰＡＧＥ ＳＥＴｉ＝｛３，２，１，ｆｚ｝に設定する。
【００６８】
時間ｔ５において、カウンタＴＨＳＢＳ[１]は時限が切れ、したがって、加入者局は、ＨＳＢＳ ＴＩＭＥＲ ＳＴＡＴＵＳ〔１〕を“時限切れ”に設定する。加入者局は、ＨＳＢＳチャネル302aを最早監視していないので、ＨＳＢＳチャネル302aの放送サービス登録を送る必要はなく、したがって、基地局は、ページングの組からＨＳＢＳ ＩＤ＝１を取り除く。このため、ＰＡＧＥ ＳＥＴｉ＝｛３，２，ｆｚ｝である。
【００６９】
時間ｔ６において、カウンタＴＨＳＢＳ[２]は時限が切れ、したがって、加入者局は、ＨＳＢＳ ＴＩＭＥＲ ＳＴＡＴＵＳ〔２〕を“時限切れ”に設定する。加入者局は、ＨＳＢＳチャネル302bを最早監視していないので、ＨＳＢＳチャネル302bの放送サービス登録を送る必要はなく、その結果、基地局は、ページングの組からＨＳＢＳ ＩＤ＝２を取り除く。したがって、ＰＡＧＥ ＳＥＴｉ＝｛３，ｆｚ｝である。
【００７０】
時間ｔ７において、カウンタＴＨＳＢＳ[３]の時限が切れ、したがって、加入者局は、ＨＳＢＳ ＴＩＭＥＲ ＳＴＡＴＵＳ〔３〕を“時限切れ”に設定する。加入者局は、ＨＳＢＳチャネル302cを監視しているので、ＨＳＢＳチャネル302cの放送サービス登録を送り、ＨＳＢＳ ＴＩＭＥＲ ＳＴＡＴＵＳ〔３〕を“イネーブル”に設定し、カウンタＴＨＳＢＳ[３]を再び始動する。基地局は、ＰＡＧＥ ＳＥＴｉ＝｛３，ｆｚ｝を維持する。
【００７１】
時間ｔ８において、加入者局は、ＨＳＢＳチャネルに最早関心がない。１つの実施形態では、加入者局は、ｆｚに同調し、アイドル状態に入る。ＰＡＧＥ ＳＥＴｉ＝｛３，ｆｚ｝は変わらない。別の実施形態では、加入者局は、周波数ｆｙに留まる。
【００７２】
時間ｔ９において、カウンタＴＨＳＢＳ[３]は時限が切れる。加入者局がｆｚに同調して、アイドル状態に入る実施形態にしたがうと、加入者局は、ＨＳＢＳ ＴＩＭＥＲ ＳＴＡＴＵＳ〔３〕を“時限切れ”に設定する。加入者局は、ＨＳＢＳチャネル302cを最早監視していないので、ＨＳＢＳチャネル302cの放送サービス登録を送る必要はなく、したがって、基地局は、ページングの組からＨＳＢＳ ＩＤ＝３を取り除く。このため、ＰＡＧＥ ＳＥＴｉ＝｛ｆｚ｝である。加入者局がｆｙに留まって、アイドル状態に入る実施形態にしたがうと、加入者局は、ＨＳＢＳチャネル302cの放送サービス登録を送り、ＨＳＢＳ ＴＩＭＥＲ ＳＴＡＴＵＳ〔３〕を“イネーブル”に設定し、カウンタＴＨＳＢＳ[３]を再び始動する。基地局は、ＰＡＧＥ ＳＥＴｉ＝｛３，ｆｚ｝を維持する。
【００７３】
別の実施形態では、登録は不要である。１つの実施形態では、ＨＳＢＳチャネルは、セクタの全周波数上で伝送される。したがって、現在のハッシング方法を使用することができる。ある特定の環境のもとでは、Ｆ−ＢＳＣＨを全周波数上で展開する資源の割当ては、負担が重くなり過ぎるので、この実施形態は実行できない。さらに加えて、ＨＳＢＳチャネルによって変調されるＦ−ＢＳＣＨは、高電力チャネルであるので、干渉源として働く。
【００７４】
したがって、別の実施形態では、基地局は、加入者局が、現在のハッシング方法にしたがって最初に同調した周波数のページングチャネルと、ＨＳＢＳチャネルによって変調された全周波数のページングチャネルとにおいて、ページングメッセージを送る。この実施形態では、現在のハッシング方法を使用して、簡単なページングの決定を交換し、多数の周波数および多数のページングチャネルにおいてページングロードが増加するのと対照して、加入者局のＨＳＢＳの加入の詳細を知る必要がない。
【００７５】
別の実施形態にしたがうと、ページングロードを低減するために、加入者局を２つのクラスへ分割する。第１のクラスは、ＨＳＢＳサービスに加入しないか、またはＨＳＢＳサービスができない加入者局を含み、第２のクラスは、ＨＳＢＳサービスに加入した加入者局を含む。基地局は、ページされる加入者局の加入情報を与えられる。加入情報は、例えば、ホームロケーションレジスタ（home location register, HLR）、ＨＳＢＳ内容サーバ、または通信システム内の同様のエンティティから与えられる。ＨＳＢＳセッションが進行中でないときは、全加入者局は、現在のハッシング方法にしたがって周波数に同調する。したがって、基地局は、適切な周波数およびページングチャネルの加入者局をページする。ＨＳＢＳサービスが始まると、ＨＳＢＳセッションに関心のある第２のクラスに属している加入者局は、適切なＨＳＢＳチャネルに同調する。基地局は、現在のページング方法にしたがって、第１のクラスに属している加入者局をページする。基地局は、ＨＳＢＳセッションが進行中であるか、休止中であるか、および第２のクラスに属している各加入者局の加入者の概要について知る。したがって、基地局は、加入者局が最初に同調した周波数上のページングチャネル、および加入者局が加入したＨＳＢＳチャネルによって変調される周波数上のページングチャネルにおいて、第２のクラスに属している加入者局へページングメッセージを送る。この実施形態では、小さいページングロードを交換し、現在のハッシング方法を変更する必要はないが、加入者局の加入情報について知る必要はある。
【００７６】
加入者局がＨＳＢＳによって変調された異なる周波数へ同調するために、加入者局が周波数間で不均等に分散するのを防ぐために、ＨＳＢＳによって変調されていない周波数のみを、第１のクラスに属している加入者局のハッシュ関数へ入れることによって、上述の実施形態を変更する。さらに加えて、ＨＳＢＳセッションが進行中であるときは、ＨＳＢＳによって変調された周波数のみを、第２のクラスに属する加入者局のハッシュ関数へ入れる。当業者には、アクセスネットワークの使用パターンにしたがって、周波数の他の組合せを使用できることが分かる。
【００７７】
したがって、別の実施形態では、加入者局は、ＨＳＢＳチャネルの監視の開始および終了について、基地局に知らせる。このために、加入者局は、最初に、現在のハッシング方法にしたがう周波数に同調する。加入者局は、ＨＳＢＳチャネルを監視したいとき、ＨＳＢＳチャネルを監視したいことを示す通知メッセージを基地局へ送り、ＨＳＢＳチャネルが変調する周波数に同調する。加入者局は、ＨＳＢＳチャネルの受信に最早関心がなくなると、ＨＳＢＳチャネルの監視を止めたいことを示す通知メッセージを送り、元の周波数に同調する。この実施形態では、加入者局とアクセスネットワークとの信頼関係を想定している。このような関係が設定されていないときは、基地局は、通知メッセージを受信すると、加入者局が、要求されたＨＳＢＳチャネルに加入したことを確認し、要求を承認または否認する。アクセスの承認を受信するときのみ、加入者局は、ＨＳＢＳチャネルが変調する周波数に同調する。基地局は、加入者局が同調している現在の周波数について明示的に知らされるので、加入者局を適切にページすることができる。この実施形態では、簡単なページングの決定を交換し、現在のハッシング方法を変更する必要はなく、潜在的にバースト状態である、例えば、人気のあるプログラムの開始および終了時の、大きい逆方
向リンクのシグナリングロードに対する、加入者局の加入を知る必要はない。
【００７８】
逆方向リンクのシグナリングロードを低減するために、別の実施形態では、加入者局は、加入者局が周波数を変更するときのみ、基地局に知らせる。したがって、加入者局は、最初に、現在のハッシング方法にしたがう周波数に同調する。加入者局は、加入者局が監視しているのと異なる周波数を変調するＨＳＢＳチャネルを監視したいとき、そのＨＳＢＳチャネルを監視したいことを示す通知メッセージを基地局へ送り、そのＨＳＢＳチャネルが変調する周波数へ同調する。加入者局は、そのＨＳＢＳチャネルの受信に最早関心がなくなると、ＨＳＢＳの監視を止める。加入者局は周波数を変更しないので、加入者局の
一部を処理する必要はない。基地局は、加入者局が同調している現在の周波数について、明示的に知らされるので、加入者局を適切にページすることができる。上述の実施形態では、加入者局とアクセスネットワークとの間に信頼関係が設定されていないので、要求−応答が必要である。この実施形態では、簡単なページングの決定を交換し、現在のハッシング方法を変更する必要はなく、潜在的にバースト状態である、例えば、人気のあるプログラムの開始および終了時の、大きい逆方向リンクのシグナリングロードに対する、加入者局の加入を知る必要はない。
【００７９】
当業者には、フローチャートが、圧縮順に逐次に示されているが、実際の実行では、ある特定のステップを並行して行なうことができる。
【００８０】
当業者には、種々の異なる技術および技能を使用して、情報および信号が表わされることが分かるであろう。例えば、これまでの記述全体で参照されるデータ、命令、コマンド、情報、信号、ビット、シンボル、およびチップは、電圧、電流、電磁波、磁界または磁粒、光の界または粒子、あるいはこれらの組み合わせによって表される。
【００８１】
当業者には、ここに開示されている実施形態に関係して記載された種々の例示的な論理ブロック、モジュール、回路、およびアルゴリズムのステップが、電子ハードウエア、コンピュータソフトウエア、またはこの両者の組合せとして実行されることも分かるであろう。ハードウエアとソフトウエアとのこの互換性を明らかに示すために、種々の例示的な構成要素、ブロック、モジュール、回路、およびステップが、それらの機能に関して上述で概ね記載されている。このような機能が、ハードウエアとして実行されるか、またはソフトウエアとして実行されるかは、個々の応用と、全体的なシステムに課された設計上の制約とに依存する。熟練した技能をもつ者は、各個々の応用ごとに種々のやり方で上述の機能を実行してもよいが、このような実行の決定は、本発明の技術的範囲から逸脱しないと解釈される。
【００８２】
ここに開示されている実施形態に関係して記載されている種々の例示的な論理ブロック、モジュール、および回路は、汎用プロセッサ、ディジタル信号プロセッサ（digital signal processor, DSP）、特定用途向け集積回路（application specific integrated circuit, ASIC）、フィールドプログラマブルゲートアレイ（field programmable gate array, FPGA）または他のプログラマブル論理装置、ディスクリートなゲートまたはトランジスタ論理、ディスクリートなハードウエア構成要素、あるいはここに記載されている機能を実行するように設計された組合せで構成または実行される。汎用プロセッサは、マイクロプロセッサであってもよいが、その代わりに、従来のプロセッサ、制御装置、マイクロ制御装置、または状態機械であってもよい。プロセッサは、計算機の組合せ、例えば、１つのＤＳＰと１つのマイクロプロセッサとの組合せ、複数のマイクロプロセッサ、１つ以上のマイクロプロセッサと１つのＤＳＰのコアとの組み合わせ、または他のこのような構成としても実行される。
【００８３】
ここに開示されている実施形態に関係して記載された方法またはアルゴリズムのステップは、ハードウエアにおいて、プロセッサによって実行されるソフトウエアモジュールにおいて、またはこの２つの組み合わせにおいて直接に具体化される。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、またはこの分野において知られている他の形態の記憶媒体の中にあってもよい。例示的な記憶媒体をプロセッサに接続すると、プロセッサは、記憶媒体から情報を読み出し、かつ記憶媒体へ情報を書き込むことができる。その代りに、記憶媒体は、プロセッサと一体構成であってもよい。プロセッサおよび記憶媒体は、ＡＳＩＣの中にあってもよい。ＡＳＩＣは、ユーザ端末の中にあってもよい。その代りに、プロセッサおよび記憶媒体は、ディスクリートな構成要素として、ユーザ端末の中にあってもよい。
【００８４】
開示された実施形態のこれまでの記述は、当業者が本発明を作成または使用できるようにするために与えられている。当業者には、これらの実施形態に対する種々の変更は容易に明らかであり、ここに定められている一般的な原理は、本発明の意図または技術的範囲から逸脱しないならば、他の実施形態に適用してもよい。したがって、本発明は、ここに示されている実施形態に制限されることを意図されているのではなく、ここに開示されている原理および新奇な特徴に一致する最も幅広い範囲にしたがうことを意図されている。
【００８５】
この特許文献の開示の一部は、著作権の保護を受ける題材を含む。特許文献または特許開示は、特許商標庁のファイルまたは記録に掲載されているが、その他の場合は、一切の無断転載が禁止されているので、著作権保有者は、任意の者によるその複写再生に反対しない。
【００８６】
セクタにおいて放送サービスパラメータメッセージを展開する融通の利く方法も必要とされる。
【００８７】
アイドル状態のＢＣＭＣＳ設計では、移動局は、現在のｃｄｍａ２０００標準に特定されているように、アイドル状態において周波数のハッシュに入る。同様に、周波数のハッシュの一方で、移動局はページングチャネルのハッシュを監視する。したがって、全移動局は（全移動局がＢＣＭＣＳを支援するかどうかに関らず）、システムの判断、アイドル状態の周波数の選択、およびアイドル状態のページングチャネルの選択のために同じ手続きにしたがうことを保証する。移動局は、アイドル状態で周波数のハッシュに入ると、ユーザがＢＣＭＣＳ ＦＬＯＷ ＩＤｘを要求するとき、移動局は、その周波数（すなわち、移動局の周波数のハッシュおよびページングチャネルのハッシュ）上の放送サービスパラメータメッセージ（Broadcast Service Parameter Message, BSPM）を読み出し、ＢＣＭＣＳ ＦＬＯＷ ＩＤｘがそのセクタにおいて使用可能であるかどうかを判断する。ＢＣＭＣＳ ＦＬＯＷ ＩＤｘがそのセクタにおいて使用可能であるときは、移動局は、ＢＳＰＭから、このサービスを監視するための全必須情報（例えば、伝送されるときの周波数、Ｆ−ＢＳＣＨの構成パラメータ、等）を判断する。次に、移動局は、（周波数のハッシュと異なるときは）適切な周波数に同調し、Ｆ−ＢＳＣＨを監視する。
【００８８】
上述の設計は、ＢＣＭＣＳに関心のある移動局は、周波数の１つおよびページングチャネルの１つの上にあるので、セクタの各周波数上の各ページングチャネルにおいてＢＳＰＭを送らなければならないことを示す。同じ理由で、これらのＢＳＰＭの各々は、そのセクタにおいて全周波数上で使用可能なＢＣＭＣＳ ＦＬＯＷ ＩＤについての情報を乗せなければならない。これは、移動局が希望のＢＣＭＣＳの内容を監視し始める遅延を最小化するので、移動局の側から見ると、望ましい。セクタにおいて伝送されるＢＣＭＣＳ ＦＬＯＷ ＩＤの数が非常に多いとき、ＢＣＭＣＳのサービスを与えるのに、大量のオーバーヘッド（すなわち、ＢＳＰＭ）が必要とされるので、ネットワークの側から見ると、この方式は効率が悪いと考えられる。これを次の表およびテーブル１に示す。
【表１】
2010213316.tif 000003
【００８９】
オペレータに、ＢＳＰＭのオーバーヘッド量と、ＢＣＭＣＳの展開においてＢＣＭＣＳを監視し始める遅延との折り合いに融通性を与えるために、ＢＳＰＭの展開のための融通の利く機構を提案し、これを次に示す。
【００９０】
各周波数上の各ページングチャネルにおいて、そのセクタにおけるＢＣＭＣＳの使用可能性に関する情報は、４つの可能な方法の１つによって与えられる。
【００９１】
１．ＢＣＭＣＳがそのセクタにおいて使用可能でないことを示す。
【００９２】
２．ＢＣＭＣＳがそのセクタにおいて使用可能であり、ＭＳがそのセクタにおいて使用可能なＢＣＭＣＳ ＦＬＯＷ ＩＤに関する情報を判断することができる周波数およびページングチャネルを示すことを示す。
【００９３】
３．そのセクタにおいて使用可能なＢＣＭＣＳ ＦＬＯＷ ＩＤのリストを与え、特定のＢＣＭＣＳ ＦＬＯＷ ＩＤに関する情報を得ることができる周波数およびページングチャネルを示す。
【００９４】
４．そのセクタにおいて使用可能なＢＣＭＣＳ ＦＬＯＷ ＩＤのリストを与え、移動局が特定のＢＣＭＣＳ ＦＬＯＷ ＩＤを監視するのに必要な全必須情報を与える。
【００９５】
ＢＣＭＣＳの情報を知らせるこれらの４つの方法は、システムパラメータメッセージ／ＭＣ−ＲＲパラメータメッセージ＆ＢＳＰＭの次の組合せによって実行される。
【００９６】
・システムパラメータメッセージ／ＭＣ−ＲＲパラメータメッセージ内に、次のように設定される２ビットのフラグ（ＢＣＭＣＳ ＩＮＤ）を加える。
【００９７】
・ＢＣＭＣＳ ＩＮＤ＝００→ＢＣＭＣＳサービスはこのセクタにおいて使用可能でない。
【００９８】
ＭＳがこのセクタ内であるときは、ユーザは、ＢＣＭＣＳサービスを使用可能でなく、ＢＳＰＭはこのセクタにおいて伝送されない。
【００９９】
・ＢＣＭＣＳ ＩＮＤ＝０１→ＢＣＭＣＳサービスはこのセクタにおいて使用可能であるが、ＢＣＭＣＳ ＦＲＥＱ／ＢＣＭＣＳ ＰＡＧＥＣＨへ行き、全必須情報を集める。
【０１００】
ＢＳＰＭは、このページングチャネル上のこの周波数上で伝送されず、ＢＣＭＣＳ ＦＲＥＱは、この周波数であり、ページングチャネルのみが異なることに注意すべきである。したがって、ＢＳは、Ｆ−ＢＳＣＨが展開される周波数のみにおいて、ＢＳＰＭを送り、このためにＢＳＰＭのオーバーヘッドを低減することができる。ＢＣＭＣＳに関心がある移動局は、必要なときに情報を得る場所を知っている。
【０１０１】
・ＢＣＭＣＳ ＩＮＤ＝１０→ＢＣＭＣＳサービスはこのセクタにおいて使用可能であり、この周波数およびこのページングチャネル上のＢＳＰＭを読み出して、全必須情報を集める。このＢＳＰＭは、融通性を追加する。
【０１０２】
ＢＣＭＣＳ ＩＮＤ＝００または０１であるとき、ＢＳＰＭは、現在の周波数上の現在のページングチャネル上で伝送されない。ＢＣＭＣＳ ＩＮＤ＝１０であるとき、ＢＳＰＭは、現在の周波数上の現在のページングチャネル上で伝送され、ＢＳＰＭ ＢＣＭＣＳ ＩＮＤのフラグによって次に示す融通性を与える。
【０１０３】
・ＢＳＰＭ ＢＣＭＣＳ ＩＮＤ＝１→このセクタにおいて使用可能な全てのＢＣＭＣＳ ＦＬＯＷ ＩＤは、このＢＳＰＭにリストアップされる。
【０１０４】
・ＢＳＰＭ ＢＣＭＣＳ ＩＮＤ＝０→このセクタにおいて使用可能な全てのＢＣＭＣＳ ＦＬＯＷ ＩＤが、このＢＳＰＭ内にリストアップされるわけではない。このＢＳＰＭにリストアップされていないＢＣＭＣＳ ＦＬＯＷ ＩＤについて、周波数およびページングチャネルの情報は、移動局が情報を得ることができるところに与えられる。
【０１０５】
・ＢＳＰＭ ＢＣＭＣＳ ＩＮＤの何れかの場合において、ＢＳＰＭにリストアップされている各ＢＣＭＣＳ ＦＬＯＷ ＩＤについて、情報を与える方法は２つある。
【０１０６】
ＭＳが、このＢＣＭＣＳ ＦＬＯＷ ＩＤに関する全必須情報を収集でき、追加情報が与えられないときに、周波数およびページングチャネルを単に示す方法、およびＭＳが所与のＢＣＭＣＳ ＦＬＯＷ ＩＤを監視できるようにする全必須情報（例えば、Ｆ−ＢＳＣＨのウオルシュ符号、ＢＳＲ ＩＤ、等）を含む方法である。
【０１０７】
移動局の側から見ると、所与のセクタにおける所与のＢＣＭＣＳ ＦＬＯＷ ＩＤｘについて、上述の設計は、移動局の周波数のハッシュおよびページングチャネルのハッシュにおいて次の６つの結果の１つになる。
【０１０８】
１．システムパラメータメッセージ／ＭＣ−ＲＲパラメータメッセージ信号のＢＣＭＣＳ ＩＮＤ＝００→ＢＣＭＣＳ ＦＬＯＷ ＩＤｘは、このセクタにおいて監視できない。
【０１０９】
２．システムパラメータメッセージ／ＭＣ−ＲＲパラメータメッセージは、ＢＣＭＣＳ ＩＮＤ＝０１を含む→ＭＳは、ＢＣＭＣＳ ＦＲＥＱ／ＢＣＭＣＳ ＰＡＧＥＣＨに同調して、ＢＣＭＣＳ ＦＬＯＷ ＩＤｘが、このセクタにおいて使用可能であるかどうかを判断する必要がある。
【０１１０】
３．システムパラメータメッセージ／ＭＣ−ＲＲパラメータメッセージは、ＢＣＭＣＳ ＩＮＤ＝１０を含み；ＭＳは、この周波数上でＢＳＰＭを読み出し；ＢＳＰＭは、ＢＳＰＭ ＢＣＭＣＳ ＩＮＤ＝０を送り；ＢＳＰＭは、ＢＣＭＣＳ ＦＬＯＷ ＩＤｘをリストアップしない→ＭＳは、ＢＣＭＣＳ ＦＲＥＱ／ＢＣＭＣＳ ＰＡＧＥＣＨに同調し、ＢＣＭＣＳ ＦＬＯＷ ＩＤｘがこのセクタにおいて使用可能であるかどうかを判断必要がある。
【０１１１】
４．システムパラメータメッセージ／ＭＣ−ＲＲパラメータメッセージは、ＢＣＭＣＳ ＩＮＤ＝１０を含み；ＭＳは、この周波数上でＢＳＰＭを読み出し；ＢＳＰＭは、ＢＳＰＭ ＢＣＭＣＳ ＩＮＤ＝１を送り；ＢＳＰＭは、ＢＣＭＣＳ ＦＬＯＷ ＩＤｘをリストアップしない→ＢＣＭＣＳ ＦＬＯＷ ＩＤｘは、このセクタにおいて監視できない。
【０１１２】
５．システムパラメータメッセージ／ＭＣ−ＲＲパラメータメッセージは、ＢＣＭＣＳ ＩＮＤ＝１０を含み；ＭＳは、この周波数上でＢＳＰＭを読み出し；ＢＳＰＭは、ＢＣＭＣＳ ＦＬＯＷ ＩＤｘをリストアップするが、ＢＣＭＣＳ ＦＬＯＷ ＩＤｘに関する情報を収集できるときは、ＢＣＭＣＳ ＦＲＥＱのみを示す→ＢＣＭＣＳ ＦＬＯＷ ＩＤｘはこのセクタにおいて監視できるが、ＭＳは、ＢＣＭＣＳ ＦＲＥＱに同調して、ＢＣＭＣＳ ＦＬＯＷ ＩＤｘをどこで／どのように監視するかを判断しなければならない。
【０１１３】
６．システムパラメータメッセージ／ＭＣ−ＲＲパラメータメッセージは、ＢＣＭＣＳ ＩＮＤ＝１０を含み；ＭＳは、この周波数上でＢＳＰＭを読み出し；ＢＳＰＭは、ＢＣＭＣＳ ＦＬＯＷ ＩＤｘをリストアップし、全ての情報を与える→ＢＣＭＣＳ ＦＬＯＷ ＩＤｘは、このセクタにおいて監視でき、ＭＳは、ＢＣＭＣＳ ＦＬＯＷ ＩＤｘをどこで／どのように監視するかを判断するための情報をもつ。
【０１１４】
ネットワークの側から見ると、次に示す融通の利くオプションが使用可能である。
【０１１５】
１．各ページングチャネル上の各周波数上で伝送されるＢＳＰＭは、このセクタの全周波数上で使用可能なＢＣＭＣＳ ＦＬＯＷ ＩＤに関する情報を含む。
【０１１６】
２．各周波数上で伝送されるＢＳＰＭは、このセクタの全周波数上で使用可能なＢＣＭＣＳ ＦＬＯＷ ＩＤのリストを含み、このＢＣＭＣＳ ＦＬＯＷ ＩＤを監視するための必須情報を収集できる周波数を示す。
【０１１７】
３．１つのみの周波数が、他の周波数において使用可能なＢＣＭＣＳ ＦＬＯＷ ＩＤに関する全必須情報を含むＢＳＰＭを伝送し（注１参照）、他の周波数は、単に、移動局にこの周波数を示して、必須情報を収集する。
【０１１８】
４．配置に基づく、これらの３つのオプションの種々の組合せは、ＢＣＭＣＳのサービスのタイプを必要とする。
【０１１９】
これまでに、およびこれから記載し、示すシナリオにおいて、これらのオプションを使用する例を示す。
【表２】
2010213316.tif 000004
【表３】
2010213316.tif 000005
【０１２０】
注１：ＢＣＭＣＳ ＦＬＯＷ ＩＤｘが周波数ｘにおいて伝送されるとき、この周波数におけるＢＳＰＭは、このＢＣＭＣＳ ＦＬＯＷ ＩＤｘに関する全ての情報をリストアップしなければならない。ＭＳが、ＢＳＰＭの更新を得るのに、別の周波数に同調し続けなければならいときは、ＭＳがＢＣＭＣＳを受信するときの妨害を避けなければならない（より悪いことに、ＭＳには、別の周波数上でＢＳＰＭが伝送されるときについて、全く分からない）。
【０１２１】
注２：上述の規制は、独立のＢＣＭＣＳの要求が許可される場合には当てはまらない（すなわち、ＭＳは、オーバーヘッド内に示されていないＢＣＭＣＳ ＦＬＯＷ ＩＤを要求することができる）。ＢＳＰＭには、これのフラグが既にあり、同様のフラグを加えて（実際には、ＢＣＭＣＳ ＩＮＤの１つの値を使用する）、システムパラメータメッセージ／ＭＣ−ＲＲパラメータメッセージにおいて同じことを言わなければならない。
【図１】
2010213316.tif 000006
【図２】
2010213316.tif 000007
【図３】
2010213316.tif 000008
【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
ブロードキャスト通信システムにおけるシグナリングのための方法であって、各周波数上の各ページング・チャネル上で、セクタにおけるブロードキャスト／マルチキャスト・サービスの使用可能性を表示するための第１のインジケータを伝送することを含み、ここにおいて前記第１のインジケータはブロードキャスト・サービス・パラメータ・メッセージ内に含まれていない、方法。
【請求項２】
前記第１のインジケータは、
ブロードキャスト／マルチキャスト・サービスが、前記セクタにおいて使用可能でないこと、
ブロードキャスト／マルチキャスト・サービスが、前記セクタにおいて使用可能でありかつ移動局が前記セクタにおけるブロードキャスト／マルチキャスト・フローの使用可能な識別子に関する情報のためのブロードキャスト／マルチキャスト・ページング・チャネルにおけるブロードキャスト／マルチキャスト周波数まで行かなければならないこと、
ブロードキャスト／マルチキャスト・サービスが、前記セクタにおいて使用可能でありかつブロードキャスト・サービス・パラメータ・メッセージが各周波数の各ページング・チャネル上で伝送されていること、
のうちの少なくとも１つを表示する、請求項１に記載のシグナリングのための方法。
【請求項３】
前記ブロードキャスト・サービス・パラメータ・メッセージは、前記セクタにおけるブロードキャスト／マルチキャスト・フローの使用可能な識別子のリストを含み、ブロードキャスト／マルチキャスト・フローの識別子を得るための情報を有する周波数およびページング・チャネルを示す、請求項２に記載のシグナリングのための方法。
【請求項４】
前記ブロードキャスト・サービス・パラメータ・メッセージは、前記セクタにおけるブロードキャスト／マルチキャスト・フローの使用可能な識別子のリストと、前記移動局がブロードキャスト／マルチキャスト・フローの特定の識別子を監視できるようにする情報を含む、請求項２に記載のシグナリングのための方法。
【請求項５】
前記ブロードキャスト・サービス・パラメータ・メッセージは、前記ブロードキャスト・サービス・パラメータ・メッセージが前記セクタにおいて使用可能なブロードキャスト／マルチキャスト・フローのすべての識別子をリストアップするかどうかを表示する第２のインジケータを含む、請求項２に記載のシグナリングのための方法。
【請求項６】
前記第２のインジケータは、１ビットからなる、請求項５に記載のシグナリングのための方法。
【請求項７】
前記第１のインジケータは、２ビットからなる、請求項１に記載のシグナリングのための方法。
【請求項８】
前記第１のインジケータは、ＢＣＭＣＳ＿ＩＮＤである、請求項１に記載の方法。
【請求項９】
前記第２のインジケータは、ＢＳＰＭ＿ＢＣＭＣＳ＿ＩＮＤである、請求項５に記載の方法。
【請求項１０】
各周波数上の各ページング・チャネル上で、セクタにおけるブロードキャスト／マルチキャスト・サービス使用可能性に関する第１の情報を伝送することを含み、前記情報は、前記セクタにおける使用可能なブロードキャスト／マルチキャスト・サービス・フロー識別子を含み、前記ブロードキャスト／マルチキャスト・サービス・フロー識別子に関する第２の情報が得られる他の周波数およびページング・チャネルを示す、通信システムのための方法。
【請求項１１】
ブロードキャスト／マルチキャスト・サービスが前記セクタにおいて使用可能でないことを示すこと、
ブロードキャスト／マルチキャスト・サービスが前記セクタにおいて使用可能であり、移動局が前記セクタにおいて使用可能なブロードキャスト／マルチキャスト・フロー識別子に関する情報を判断することができる周波数およびページング・チャネルを示すことを示すこと、
前記セクタにおいて使用可能なブロードキャスト／マルチキャスト・フロー識別子のリストを与え、特定のブロードキャスト／マルチキャスト・フロー識別子に関する前記第２の情報を得ることができる周波数およびページング・チャネルを示すこと、
前記セクタにおいて使用可能なブロードキャスト／マルチキャスト・フロー識別子のリストを与え、移動局が前記特定のブロードキャスト／マルチキャスト・フロー識別子を監視するのに必要な全必須情報を与えること
の方法のうちの１つによって前記第１の情報を与えることをさらに含む、請求項１０に記載の方法。
【外国語明細書】
2010213316000001.pdf